(57)【要約】【課題】トイレの床面ならびにカウンターを汚すことなく、全ての使用者が使いやすく、かつ手乾燥行為の手間を低減することができる手乾燥装置を提供する。【解決手段】空気供給手段１０２をカウンター１０１内に設け、水受部１０５をカウンター内に設け、上部空気吹出口８をカウンター１０１の上方に設け、上部空気吹出口８と下部空気吹出口９の上下２箇所から吹出す空気によって手乾燥行為を行なう。そのため、手洗行為から手乾燥行為に移行する際の手の上下運動がなくなるため、カウンターを汚すことを軽減することができ、かつ使用者は手洗行為と同様の体勢で使用することができる。また、手の甲と手のひらを同時に乾燥させることができるので、使用者は手を裏返す手間を省くことができる。【選択図】図１
2006280697.tif 000002
【特許請求の範囲】
【請求項１】
手洗器が組み込まれているカウンターに配設される手乾燥装置であって、
前記手洗器の近傍に前記手乾燥装置を設け、前記手洗器による手洗行為と同様の姿勢で前記手乾燥装置を使用できることを特徴とする手乾燥装置。
【請求項２】
手洗器等組み込まれているカウンターに配設される手乾燥装置であって、
手を乾燥するための空気を供給する空気供給手段と、前記空気供給手段によって供給された空気を吹出す空気吹出口と、前記空気吹出口から吹出した空気によって使用者の手より吹き飛ばした水滴を受ける水受部と、前記空気吹出口と前記水受部との間に形成された手乾燥空間と、前記水受部から前記水滴を排出する排水口を備えており、
前記水受部を前記カウンターの内部に設け、前記空気吹出口を前記カウンターより上方に配置することを特徴とする手乾燥装置。
【請求項３】
手乾燥空間の上下に対向する２面にそれぞれ空気吹出口が備えられ、手乾燥空間に向けて空気を吹出すことを特徴とする請求項１または２記載の手乾燥装置。
【請求項４】
空気吹出口が使用者に対して奥に向かって下方に傾斜を有していることを特徴とする請求項１または２記載の手乾燥装置。
【請求項５】
空気吹出口の平面視で手洗器に近づくにつれて使用者に対して奥に傾斜を有していることを特徴とする請求項１または２記載の手乾燥装置。
【請求項６】
水受部より排水口に到達した水滴を下水に排出する為の排水管を備えた、請求項１または２記載の手乾燥装置。
【請求項７】
水受部より排水口に到達した水滴を下水に排出する為の排水管が、手洗器の排水管に接続されていることを特徴とする請求項６記載の手乾燥装置。
【請求項８】
手洗行為中の使用者を検知する人検知手段と、空気吹出口より吹出す空気を暖めるヒータを備え、前記人検知手段が前記使用者を検知した時に、ヒータに通電させることを特徴とする請求項１または２記載の手乾燥装置。
【請求項９】
使用者に対して手乾燥装置の使用を促す使用誘導手段を備えた請求項１または２記載の手乾燥装置。
【請求項１０】
空気吹出口から吹出し使用者の手から吹き飛ばした水滴を含んだ空気の風向を制御する風向制御装置を備えることを特徴とする請求項１または２記載の手乾燥装置。
【請求項１１】
空気供給手段をカウンター内部に設置し、前記空気供給手段の周りに防音材を備えることを特徴とする請求項１または２記載の手乾燥装置。
【請求項１２】
空気吹出口より吹出した空気をカウンター内部に排出する空気排出口と、カウンター内部より空気供給手段へ空気を取入れる空気取入口を備えていることを特徴とする請求項１または２記載の手乾燥装置。
【請求項１３】
空気取入口と空気排出口を連通させる空気循環管を備えていることを特徴とする請求項１２記載の手乾燥装置。
【請求項１４】
排気口もしくは空気循環管内に、空気と水分を分離させる分離手段を備えていることを特徴とする請求項１２もしくは１３記載の手乾燥装置。
【発明の詳細な説明】
【技術分野】
【０００１】
本発明は、洗面所やトイレ等にて手を洗い、濡れた手を乾燥させる手乾燥装置に関する。
【背景技術】
【０００２】
従来、手洗行為によって濡れた手を乾燥させる手乾燥装置として、手洗器が組み込まれているカウンター内に設置されているものが知られている（例えば、特許文献１参照）。
【０００３】
以下、その手乾燥装置について図３を参照しながら説明する。図３に示すように従来の手乾燥装置は、手洗器などが組み込まれているカウンター１０１内に設けられ濡れた手を乾燥させるための空気を供給する空気供給手段１０２と、空気供給手段１０２によって供給された空気を空気供給管１０３を介して使用者の手へ吹出す空気吹出口１０４と、空気吹出口１０４より吹出した空気によって使用者の手から吹き飛ばした水滴を受ける水受部１０５と、水受部１０５で受けた水滴を排水管１０６を介して下水へ排出する排水口１０７とで構成されている。そして空気供給手段１０２は、空気を空気吹出口１０４へ供給させるファン１０８と、濡れた手を乾燥させるための空気を暖めるヒータ１０９と、カウンター１０１内から空気供給手段１０２へ空気を取り入れる空気取入口１１０で構成されている。
【０００４】
また、２方向から吹出す手乾燥装置として、水平２方向から吹出すものが知られている（例えば、特許文献２参照）。
【０００５】
以下、その手乾燥装置について図４を参照しながら説明する。図４に示すように従来の手乾燥装置は、濡れた手を乾燥させるための空気を供給する空気供給手段１１１と、空気供給手段１１１より供給された空気を空気供給管１１２を介して使用者の手へ吹出す空気吹出口１１３と、空気吹出口１１３より吹出した空気によって使用者の手から吹き飛ばした水滴を受ける水受部１１４と、水受部１１４で受けた水滴を排水管１１５を介してドレンタンク１１６へ排出する排水口１１７とで構成されている。そして空気供給手段１１１は、空気を空気吹出口１１３へ流通させるファン１１８と、濡れた手を乾燥させるための空気を暖めるヒータ１１９と、空気供給手段１１１へ空気を取り入れる空気取入口１２０で構成されている。そして、この手乾燥装置を洗面所やトイレ等の壁面に設置するものである。
【特許文献１】特開平１１−１６９３１８号公報
【特許文献２】特開２００１−１２８８８５号公報
【発明の開示】
【発明が解決しようとする課題】
【０００６】
図３に示す手乾燥装置の場合、手乾燥装置がカウンター１０１内に設置されているため、図４に示す手乾燥装置のようにトイレ内の壁面に設置してあるものに対して、使用者が手洗器から手乾燥装置へ移動する際に水滴が滴り落ちてトイレの床面を汚すことがないという利点がある。しかし、水受部１０５がカウンター１０１の上部に設けているため、手洗行為に比べて腕をあげる必要があり、身長の低い方が使いにくく、また腕を上げる際に手に付着した水滴が落ちてカウンター１０１を汚してしまうという課題があった。また、空気吹出口１０４が一箇所のみであるため、手のひらと手の甲の両方を乾燥させるためには手を裏返す必要があり、乾燥の手間がかかるという課題があった。
【０００７】
一方、図４に示す手乾燥装置の場合、図４の手乾燥装置が有する手を裏返す手間がかかるという課題は解決することができる。しかし、前述のように手洗器から手乾燥装置へ移動する際に水滴が滴り落ちてトイレの床面を汚すという課題に加えて、空気吹出口１０９が水平２箇所に備えられているため、使用者は手を垂直にした状態で使用することとなり、身長が高い人は腰をかがめる必要があり、また身長が低い人は腕を無理に上げる必要があり、使い勝手が悪いという課題があった。
【０００８】
本発明は上記の課題を解決するものであり、トイレの床面ならびにカウンターを汚すことなく、全ての使用者が乾燥しやすく、かつ手乾燥行為の手間を低減することができる手乾燥装置を提供することを目的としている。
【課題を解決するための手段】
【０００９】
本発明のうち請求項１記載の発明は、上記目的を達成するために手洗器と同様の姿勢で手乾燥行為を行なうことができることを特徴とするものである。手を洗う高さと手を乾燥させる高さを同じ、すなわち、手乾燥空間の高さを手洗い空間の高さと同じとしているため、手洗いと同様の姿勢で手乾燥空間に手を移動して手を乾燥させるものである。そして、請求項２記載の発明は請求項１記載の発明の具体的構造を示したものである。この発明により、水受部をカウンターの内部に設け、空気吹出口をカウンターより上方に配置することを特徴とするものである。この発明により、全ての使用者が使いやすく、カウンターを汚さずに使用することができる。
【００１０】
また請求項３記載の発明は、上記目的を達成するために手乾燥空間の上下に対向する２面に空気吹出口を設け、それぞれ手乾燥空間に向けて吹出すことを特徴とするものである。この発明により、手乾燥行為において手を裏返す手間を省くことができる。
【００１１】
また請求項４記載の発明は、上記目的を達成するために空気吹出口が使用者に対して奥に向かって下方に傾斜を有することを特徴とするものである。この発明により、使用者が手を手乾燥空間に挿入することが容易となり、かつ空気吹出口の厚みを感じることを軽減することができる。
【００１２】
また請求項５記載の発明は、上記目的を達成するために空気吹出口の平面視で手洗器に近づくにつれて使用者に対して奥に傾斜を有していることを特徴とするものである。この発明により、使用者は手洗器を使用する位置から動くことなく手乾燥装置を使用することができる。
【００１３】
また請求項６記載の発明は、上記目的を達成するために水受部で受けた水滴を下水に排出するための配水管を備えることを特徴とするものである。この発明により、従来の手乾燥装置のようにドレンタンクに溜まった水を捨てる手間を省くことができる。
【００１４】
また請求項７記載の発明は、上記目的を達成するために手乾燥装置の配水管を手洗器の配水管に接続することを特徴とするものである。この発明により、カウンター内部をより有意に使用することができ、かつ排水管のメンテナンス工数を減らすことができる。
【００１５】
また請求項８記載の発明は、上記目的を達成するために人検知手段が使用者を検知した時にヒータを通電させることを特徴とするものである。この発明により、手乾燥空間に手を挿入すると同時に十分に予熱された空気によって乾燥させることができる。
【００１６】
また請求項９記載の発明は、上記目的を達成するために使用者に対して手乾燥装置の使用を促す使用誘導手段を備えていることを特徴とするものである。この発明により、使用者は手洗後に確実に手乾燥装置を使うことができ、かつ予熱が完了したかを確認することができ、その結果確実に予熱された空気によって乾燥させることができる。
【００１７】
また請求項１０記載の発明は、上記目的を達成するために空気吹出口から吹出し使用者の手から吹き飛ばした水滴を含んだ空気の風向を制御する風向制御装置を備えることを特徴とするものである。この発明により、空気吹出口から吹出し使用者の手から吹き飛ばした水滴が使用者にはね返るのを防ぐことができ、快適に手乾燥装置を使用することができる。
【００１８】
また請求項１１記載の発明は、上記目的を達成するために空気供給手段をカウンター内部に設置し、空気供給手段の周りに防音材を備えることを特徴とするものである。この発明により、手乾燥装置の騒音を抑えることができ、快適に手乾燥装置を使用することができる。
【００１９】
また請求項１２記載の発明は、上記目的を達成するために空気吹出口から吹出した空気をカウンター内部に排出する空気排出口と、カウンター内部より空気供給手段へ空気を取り入れる空気取入口を供えていることを特徴とするものである。この発明により、ヒータ出力を押さえつつ適切な温度の空気を使用者に供給することができるため、省エネルギー化を図ることができる。
【００２０】
また請求項１３記載の発明は、上記目的を達成するために空気取入口と空気排出口を連通させる空気循環管を設置していることを特徴とするものである。この発明により、空気排出口から排出された空気の熱エネルギーのロスを最小限に抑えることができるため、請求項１２記載の発明と比較してより省エネルギー化を図ることができる。
【００２１】
また請求項１４記載の発明は、上記目的を達成するために空気排出口もしくは空気循環管内に、空気と水分を分離させる分離手段を備えていることを特徴とするものである。この発明により、空気吹出口より乾燥した空気を使用者へ供給することができる。
【発明の効果】
【００２２】
本発明によれば、トイレの床面ならびにカウンターを汚すことなく、全ての使用者が乾燥しやすく、かつ手乾燥行為の手間を低減することができる手乾燥装置を提供することができる。
【発明を実施するための最良の形態】
【００２３】
本発明のうち請求項１記載の発明は、手洗器と同様の姿勢で手乾燥装置を使用することができることを特徴とするものであり、また請求項２記載の発明は、請求項１記載の発明の具体的構造として、水受部をカウンターの内部に設け、空気吹出口をカウンターより上方に配置することを特徴とするものであり、手乾燥行為における手の高さと手洗行為における手の高さを等しくさせることにより、手に上下方向に移動させることなく手洗行為から、手の高さを維持したまま手乾燥空間に移動、すなわち、手乾燥行為へ移行することができるという作用を有する。
【００２４】
また請求項３記載の発明は、手乾燥空間の上下に対向する２面に空気吹出口を設け、それぞれ手乾燥空間に向けて吹出すことを特徴とするものであり、使用者は腕を水平に近い状態で手の甲を上に向けた状態で手乾燥空間に挿入することができ、また使用者の手の甲と手のひらを同時に乾燥することができるという作用を有する。
【００２５】
また請求項４記載の発明は、空気吹出口が使用者に対して奥に向かって下方に傾斜を有することを特徴とするものであり、空気吹出口が水平に設置されているものと比較して、使用者が手乾燥空間に手を挿入することがより容易となり、さらに空気吹出口の辺が使用者の視線と概ね平行にすることができるという作用を有する。
【００２６】
また請求項５記載の発明は、空気吹出口の平面視で手洗器に近い側が、使用者に対して奥に傾斜を有していることを特徴とするものであり、使用者は手洗器を使用する位置から動くことなく手乾燥装置を使用することができるという作用を有する。
【００２７】
また請求項６記載の発明は、水受部より排水口に到達した水滴を下水に排出するための配水管を備えることを特徴とするものであり、空気吹出口から吹出した空気によって使用者の手より吹き飛ばした水滴を自動で下水に排水することができるという作用を有する。
【００２８】
また請求項７記載の発明は、手乾燥装置の配水管が手洗器の配水管に接続されていることを特徴とするものであり、排水管の数を減らすことができるという作用を有する。
【００２９】
また請求項８記載の発明は、人検知手段が使用者を検知した時にヒータを通電させることを特徴とするものであり、手洗行為中にヒータの予熱をおこなうことができるという作用を有する。
【００３０】
また請求項９記載の発明は、使用者に対して手乾燥装置の使用を促す使用誘導手段を備えていることを特徴とするものであり、使用者に対して手乾燥装置の存在ならびに予熱状況を知らせるという作用を有する。
【００３１】
また請求項１０記載の発明は、空気吹出口から吹出し使用者の手から吹き飛ばした水滴を含んだ空気の風向を制御する風向制御装置を備えることを特徴とするものであり、空気吹出口から吹出して使用者の手に付着していた水滴を含んだ空気を、使用者以外の方向もしくはへ向けることができるという作用を有する。
【００３２】
また請求項１１記載の発明は、空気供給手段をカウンター内部に設置し、空気供給手段の周りに防音材を備えることを特徴とするものであり、デザイン的に不具合なくカウンター内部の空間が許す限り防音材を設置することができるという作用を有する。
【００３３】
また請求項１２記載の発明は、空気吹出口から吹出した空気をカウンター内部に排出する空気排出口と、カウンター内部より空気供給手段へ空気を取り入れる空気取入口を供えていることを特徴とするものであり、ヒータによって暖められ空気吹出口から吹出した空気が空気排出口ならびに空気取入口を介して再び空気吹出口より吹出すことができるという作用を有する。
【００３４】
また請求項１３記載の発明は、空気取入口と空気排出口を連通させる空気循環管を設置していることを特徴とするものであり、空気排出口から排出された空気の全容量を空気取入口から取り入れるという作用を有する。
【００３５】
また請求項１４記載の発明は、空気排出口もしくは空気循環管内に、空気と水分を分離させる分離手段を備えていることを特徴とするものであり、空気排出口から取り入れた水滴を含んだ空気を水分のみ排除したのち、空気供給手段へ搬送するいう作用を有する。
【００３６】
本発明のより具体的な実施の形態について図面を参照しながら説明する。なお、従来の手乾燥装置と同一であるものについては同一番号を附す。
【００３７】
（実施の形態１）
図１に示すように、実施の形態１における手乾燥装置は、手洗器などが組み込まれているカウンター１０１内に設けられ濡れた手を乾燥させるための空気を供給する空気供給手段１０２と、空気供給手段１０２によって供給された空気を空気供給管１０３を介して吹出す空気吹出口１０４と、空気吹出口１０４より吹出した空気によって使用者の手から吹き飛ばした水滴を受ける水受部１０５と、水受部１０５の最下部にあって水受部１０５に溜まった水滴を排水管１０６を介して下水へ排出する排水口１０７と、空気吹出口１０４から吹出した空気を空気排出口１へ誘導する風向制御手段２と、空気排出口１へ流入した空気を空気供給手段１０２へ誘導する空気循環管３と、空気排出口１に設けられ水滴を含んだ空気を空気と水滴に分離する分離手段４と、手洗行為中の使用者の存在を検知する人検知手段５と、使用者に対して手乾燥空間への注意を促す使用誘導手段６とで構成されている。
【００３８】
ここで空気供給手段１０２は、シロッコ型の羽根とモータで構成されたファン１０８と、手乾燥行為のために空気吹出口１０４より吹出す空気を暖めるヒータ１０９と、空気循環管３より空気供給手段１０２へ空気を取り入れる空気取入口１１０と、ファン１０８とヒータ１０９の周りに備えられた防音材７とで構成されている。
【００３９】
また、図１に示すように空気吹出口１０４は、上部空気吹出口８と下部空気吹出口９の２つの空気吹出口で構成されており、さらに、図２に示すように上部空気吹出口８ならびに下部空気吹出口９はＶ字状になっている。なお、特に図示していないが、１台のみの手洗器１０に手乾燥装置を隣接させる場合、手洗器１０に近づくにつれて奥に傾斜を有していることで、同様の効果を得ることができる。そして、上部空気吹出口８は使用者に対して奥に向かって下方に傾斜を有している。
【００４０】
また、風向制御手段２としてカウンター１０１の上面と同じ素材を用い、そして図１に示すように水受部１０５の最上部かつ空気排出口１近傍に設けるものである。なお、空気排出口１ならびに空気循環管３が備えられていない場合、空気を使用者以外の方向へ誘導させるルーバーを設けることで、同様の効果を得ることができる。
【００４１】
また、空気排出口１に設けられた分離手段４として、金属繊維が格子状になって形成されているフィルタを用いている。なお、空気循環管３内に除湿器を設置した場合、水滴と空気を分離しつつ空気を乾燥させることもでき、さらに快適に手乾燥装置を使用することができる。
【００４２】
また、人検知手段５として、人から放射される熱線量の変化を検知する人感センサを、使用誘導手段６としてＬＥＤを用いた照明器具を備えている。なお、使用誘導手段６として電球などの他の照明器具や、音声発生機器でも同様の効果を得ることができる。そして、特に図示していないが、人検知手段５からの信号に基づいてヒータ１０９を作動させ、また、人検知手段５からの信号やヒータ１０９の予熱状況に基づいて使用誘導手段６を作動させるための制御装置を備えている。なお、手洗器１０に設置されている人感センサを人検知手段５の代わりに用いた場合も同様の効果を得ることができる。
【００４３】
また、防音材７として、遮音を目的とした遮音材や、吸音を目的としたウレタンやロックウール製の吸音材が考えられる。そして、カウンター１０１内部の空間の許す限り防音材７を施工する。
【００４４】
そして、空気供給手段１０２をカウンター１０１内に設け、水受部１０５を２台の手洗器の間かつカウンター内に設け、上部空気吹出口８をカウンター１０１の上方に設けるものである。
【００４５】
上記の構成によれば、人検知手段５が手洗行為中の使用者を検知し、その情報を受けてヒータ１０９は予熱を開始し、使用誘導手段６としてのＬＥＤ照明器具が点灯して使用者の注意を促す。そして、使用者が手洗行為を終了し、濡れた手を乾燥させるために、図１に示すように上部空気吹出口８と下部空気吹出口９の間に設けられた手乾燥空間に手を挿入すると、特に図示していないが上部空気吹出口８近傍に設けられた手検知手段が反応してファンが作動し始め、空気吹出口１０４より使用者の手に向けて空気を吹出し、使用者の手に付着した水滴を吹き飛ばすことで、使用者の手を乾燥させることができる。そして、使用者の手から吹き飛ばされた水滴は、一部は水受部１０５に付着して排水口１０７より排水管１０６を通って下水に排出され、残りは空気吹出口１０４から吹出した空気と共に空気排出口１から排出されるが、空気排出口１に備えられた分離手段９によって捕集され、水受部１０５を伝って排水口１０７より排水管１０６を通って下水に排出される。また、分離手段９によって水滴と分離された空気は空気循環管３を通って空気取入口１１０より空気供給手段１０２へ流入される。
【００４６】
ここで、図４に示す従来の手乾燥装置のようにトイレ等の壁面に設けられるのに対して、本発明における手乾燥装置は手洗器に隣接しているため、使用者が手洗器から手乾燥装置まで移動する際に使用者の手から水滴が落ちることによって床を汚すことを防ぐことができる。
【００４７】
また、水受部１０５をカウンター１０１の内部に設け、上部空気吹出口８をカウンター１０１より上方に設けているため、手洗行為における手の高さと手乾燥行為における手の高さが概ね等しくなり、その結果、手洗行為から手乾燥行為に移行する際の上下移動がなくなり、その結果手に付着した水滴がカウンター１０１上に落下することなく、また体勢を変える必要が無いため楽に手乾燥ができる。
【００４８】
また、上部空気吹出口８と下部空気吹出口９の２方向から空気を吹出すため、手の甲と手のひらを同時に乾燥させることができ、使用者は手を裏返す手間を必要とせず快適に使用することができる。
【００４９】
また、図１に示すように上部空気吹出口８が使用者に対して奥に傾斜を有していることによって、使用者は上部空気吹出口８と下部空気吹出口９の間に手を挿入することが上部空気吹出口８を水平に設置するものに対してより容易になり、さらに特に図示していないが、使用者は上部空気吹出口８より高い位置から上部空気吹出口８を見るため、上部空気吹出口８が傾斜を有していることにより、上部空気吹出口８の厚みを感じることがなく、その結果、使用者が手を挿入する際の窮屈感を軽減することができる。
【００５０】
また、図２に示すように上部空気吹出口８ならびに下部空気吹出口９が平面視でＶ字状になっているため、使用者は手洗行為から手乾燥装置による乾燥行為を行なう際、腕のみを移動させることで手乾燥装置を使用することができるため、使用者は移動する手間を省くことができる。
【００５１】
また、手乾燥装置による手乾燥行為によって、使用者の手から水受部１０５に落下した水滴は、排水口１０７と排水管１０６を設けることによって、図４に示す従来の手乾燥装置にようにドレンタンク１１６に溜まった水滴を捨てることなく自動的に下水に排出されるため、掃除の手間を省くことができる。さらに、特に図示していないが、手洗器に設けられた排水管に接続されている場合は、排水管の本数を減らすことができ、そのためカウンター１０１の空間をより有効に使用することができる。
【００５２】
また、人検知手段５が手洗行為中の使用者を検知し、その情報を受けてヒータ１０９の予熱を開始させることにより、使用者が手洗行為を終了して手乾燥行為を開始すると同時に、十分に予熱された空気を供給することができるので、使用者は従来の手乾燥装置のように手乾燥行為開始時の冷風感を感じることなく、快適に手乾燥装置を使用することができる。
【００５３】
また、人検知手段５によって使用者を検知し、その情報を元に使用誘導手段６によって使用者に注意を促すことによって、手乾燥装置を使い慣れていない方は手乾燥装置を使い損ねることがなく、使用者は確実に手洗行為から手乾燥行為の一連の行為を行なうことができる。また、ヒータ１０９の予熱が終了した時点で使用誘導手段６によって使用者に注意を促すことによって、使用者は確実に手乾燥行為開始時から十分に予熱された空気によって乾燥させることができる。
【００５４】
また、風向制御手段２によって、空気供給口１０４から吹出し使用者の手から吹き飛ばした水滴を含んだ空気は使用者の手や顔に当たることなく空気排出口１から空気循環管３へ流れ込むため、使用者は不快に感じることなく手乾燥行為を行なうことができる。
【００５５】
また、空気供給手段１０２がカウンター１０１内部に設置されているため、外見を気にすることなく防音材を施工することができ、そのため図４に示す従来の手乾燥装置に比べて大幅に静音化することができ、使用者は手乾燥装置の騒音を気にすることなく快適に使用することができる。
【００５６】
また、空気吹出口１０４から吹出した空気を、空気循環管を介して再び空気供給手段１０２に回収することによって、図３に示す従来の手乾燥装置に比べて空気供給手段１０２に取り入れる空気の温度が高く、ヒータの必要加熱量を抑えることができ、その結果省エネルギー化を図ることができる。ここで、空気吹出口１０４から吹出した空気は使用者の手から吹き飛ばされた水滴を含んでいるため、そのまま空気供給手段１０２に取り入れると、水滴を含んだ空気を空気吹出口１０４より吹出し使用者に不快感を与えてしまうが、分離手段４によって水滴と空気に分離され空気のみ空気循環管１０３を介して空気供給手段１０２に取り入れることができるため、空気吹出口１０４から水滴を吹出すことなく快適に手乾燥行為を行なうことができる。
【産業上の利用可能性】
【００５７】
本発明によれば、トイレの床面ならびにカウンターを汚すことなく、全ての使用者が乾燥しやすく、かつ手乾燥行為の手間を低減することができる、洗面所やトイレ等にて手を洗い、濡れた手を乾燥させる手乾燥装置として有用である。
【図面の簡単な説明】
【００５８】
【図１】実施の形態１における手乾燥装置の断面図
【図２】実施の形態１における手乾燥装置の平面図
【図３】従来の手乾燥装置の断面図
【図４】従来の手乾燥装置の断面図
【符号の説明】
【００５９】
１    空気排出口
２    風向制御手段
３    空気循環管
４    分離手段
５    人検知手段
６    使用誘導手段
７    防音材
８    上部空気吹出口
９    下部空気吹出口
１０  手洗器
１０１  カウンター
１０２  空気供給手段
１０３  空気供給管
１０４  空気吹出口
１０５  水受部
１０６  排水管
１０７  排水口
１０８  ファン
１０９  ヒータ
１１０  空気取入口
１１１  空気供給手段
１１２  空気供給管
１１３  空気吹出口
１１４  水受部
１１５  排水管
１１６  ドレンタンク
１１７  排水口
１１８  ファン
１１９  モータ
１２０  空気取入口
【図１】
2006280697.tif 000003
【図２】
2006280697.tif 000004
【図３】
2006280697.tif 000005
【図４】
2006280697.tif 000006